(57)【要約】  【課題】レンズ交換をすることによりカメラボディ内にゴミ等が侵入することを防止する。  【解決手段】レンズユニット２０をマウント１２に取り付け、レンズ交換式デジタルカメラ１の電源を投入すると、マウント１２からレンズユニット２０が取り外せないように、レンズユニット２０をロックし、ＡＦモータユニット４３を駆動してコンプレッサ４２を動作させる。コンプレッサ４２は、空気フィルタ４１を通って供給された空気を用いて圧縮空気を生成し、エアーダクト４７を通して空気噴射ユニット４８に供給する。空気噴射ユニット４８は、供給されたクリーンな圧縮空気をカバー４０とレンズマウント２２とで囲まれた空間に噴射する。これにより、カバー４０とレンズマウント２２とで囲まれた空間の内部に付着したゴミ等を吹き飛ばすことができる。【選択図】  図２
2010175639.tif 000002
【特許請求の範囲】
【請求項１】
撮像素子に被写体像を結像させるレンズを有するレンズユニットと、該レンズユニットが装着されるカメラ本体とからなるレンズ交換式カメラにおいて、
前記カメラ本体は、
前記レンズユニットを着脱可能にするマウントと、
前記マウントに前記レンズユニットが取り付けられたことを検出する検出手段と、
ミラーボックス前面に設けられ、前記カメラ本体の内部空間を密閉可能なカバーと、
前記カバーの開閉を判別する判別手段と、
前記レンズユニットと前記カバーとで囲まれた空間に混入したゴミを除去するゴミ除去手段と、
前記検出手段により前記レンズユニットが前記マウントに取り付けられたことが検出され、かつ前記判別手段により前記カバーが閉じていることが判別されると、前記ゴミ除去手段を駆動するように制御する制御手段と、
を備えたことを特徴とするレンズ交換式カメラ。
【請求項２】
前記カバーを開閉するカバー開閉手段を備え、
前記制御手段は、前記ゴミ除去手段によりゴミに除去が行われた後で、前記カバーを開くように前記カバー開閉手段を動作させることを特徴とする請求項１に記載のレンズ交換式カメラ。
【請求項３】
前記ゴミ除去手段の駆動指示を入力する入力手段を備え、
前記制御手段は、前記入力手段から入力された駆動指示に応じて前記ゴミ除去手段を駆動することを特徴とする請求項１又は２に記載のレンズ交換式カメラ。
【請求項４】
前記判別手段により前記カバーが開いていると判別された場合には、前記マウントから取り外せないように前記レンズユニットをロックするロック手段を備えたことを特徴とする請求項１から３のいずれか１に記載のレンズ交換式カメラ。
【請求項５】
前記レンズユニットは、前記レンズを移動させるレンズ移動手段を備え、
前記カメラ本体は、前記レンズ移動手段を駆動するためのモータと、
前記レンズ移動手段と、前記カバー開閉手段及び前記ゴミ除去手段の少なくとも１つとの間で前記モータの駆動力の伝達先を切り替える切替手段と、
を備えたことを特徴とする請求項１から４のいずれかに記載のレンズ交換式カメラ。
【請求項６】
前記ゴミ除去手段は、
空気を前記レンズユニットと前記カバーとで囲まれた空間に噴射する噴射手段と、
前記噴射手段により空気が噴射されると、前記レンズユニットと前記カバーとの間に形成された空間内の空気を前記カメラ本体の外部へ排気する排気手段と、
を有することを特徴とする請求項１から５のいずれかに記載のレンズ交換式カメラ。
【請求項７】
前記ゴミ除去手段は、
ゴミをろ過するろ過手段と、
前記ろ過手段を介して前記カメラ本体の外部の空気を吸気して清浄空気を生成し、該清浄空気を前記噴射手段へ供給する供給手段と、
を有することを特徴とする請求項６に記載のレンズ交換式カメラ。
【請求項８】
前記圧縮空気生成手段の稼働時間を積算する積算手段と、
前記積算手段により積算された稼働時間に基づいて前記ろ過手段の交換が必要か否かを判断する判断手段と、
前記判断手段による判断結果を出力する出力手段と、
を備えたことを特徴とする請求項６又は７に記載のレンズ交換式カメラ。
【発明の詳細な説明】
【技術分野】
【０００１】
本発明はレンズ交換式カメラに係り、特にレンズ交換によるゴミ等の侵入を防止するレンズ交換式カメラに関する。
【背景技術】
【０００２】
特許文献１には、パヨネット爪が挿入位置からロック位置に回転されると開口部カバーを開き、パヨネット爪がロック位置から挿入位置に回転されると開口部カバー閉じることにより、カメラボディ内部へのゴミ等の侵入を防ぐレンズ交換式カメラが提案されている。
【０００３】
特許文献２には、交換式レンズの代わりに清掃用アタッチメントをカメラボディに取り付け、撮像素子前面に空気の流路を形成し、当該流路を空気が流れることにより撮像素子に付着したゴミ等を除去する清掃用アタッチメントが提案されている。
【０００４】
特許文献３には、２重の筒状の掃除機をマウントに密着させ、外側の筒から空気を吸込み、光学フィルタの前面を通して内側の筒から空気を排出させることで、光学フィルタに付着したゴミ等を除去するレンズ交換式デジタルカメラ用掃除機が提案されている。
【特許文献１】特開２００８―１５０１７号公報
【特許文献２】特開２００７―１８９６７０号公報
【特許文献３】特開２００７―９４１１７号公報
【発明の開示】
【発明が解決しようとする課題】
【０００５】
しかしながら、特許文献１に記載されたレンズ交換式カメラでは、開口部カバーやレンズユニットに付着したゴミ等がカメラボディ内部に侵入することを防止することができないという問題がある。
【０００６】
また、特許文献２に記載された清掃用アタッチメント及び特許文献３に記載されたレンズ交換式デジタルカメラ用掃除機では、清掃時に撮像素子や光学フィルタ前面に付着しているゴミ等を除去することはできるが、他の部分に付着しているゴミ等は除去できないため、これらのゴミ等が撮像素子や光学フィルタに付着する虞がある。また、清掃後にレンズ交換を行うことにより、カメラボディ内部にゴミ等が侵入するという問題もある。
【０００７】
本発明はこのような事情に鑑みてなされたもので、レンズ交換をすることによりカメラボディ内にゴミ等が侵入することを防止することができるレンズ交換式カメラを提供することを目的とする。
【課題を解決するための手段】
【０００８】
前記目的を達成するために、請求項１に記載のレンズ交換式カメラは、撮像素子に被写体像を結像させるレンズを有するレンズユニットと、該レンズユニットが装着されるカメラ本体とからなるレンズ交換式カメラにおいて、前記カメラ本体は、前記レンズユニットを着脱可能にするマウントと、前記マウントに前記レンズユニットが取り付けられたことを検出する検出手段と、ミラーボックス前面に設けられ、前記カメラ本体の内部空間を密閉可能なカバーと、前記カバーの開閉を判別する判別手段と、前記レンズユニットと前記カバーとで囲まれた空間に混入したゴミを除去するゴミ除去手段と、前記検出手段により前記レンズユニットが前記マウントに取り付けられたことが検出され、かつ前記判別手段により前記カバーが閉じていることが判別されると、前記ゴミ除去手段を駆動するように制御する制御手段と、を備えたことを特徴とする。
【０００９】
請求項１に記載のレンズ交換式カメラによれば、マウントにレンズユニットが取り付けられ、カメラ本体の内部空間を密閉可能なカバーが閉じている場合に、レンズユニットとカバーとで囲まれた空間に混入したゴミを除去する。これにより、レンズユニットをカメラ本体に装着したときにゴミが混入しうる空間であるレンズユニットとカバーとで囲まれた空間のゴミを除去することができる。
【００１０】
請求項２に記載のレンズ交換式カメラは、請求項１に記載のレンズ交換式カメラにおいて、前記カバーを開閉するカバー開閉手段を備え、前記制御手段は、前記ゴミ除去手段によりゴミに除去が行われた後で、前記カバーを開くように前記カバー開閉手段を動作させることを特徴とする。
【００１１】
請求項２に記載のレンズ交換式カメラによれば、レンズユニットとカバーとで囲まれた空間に混入したゴミを除去した後でカバーを開くことにより、カバーを空けたときにカメラ本体の内部にゴミが混入することを防ぐことができる。
【００１２】
請求項３に記載のレンズ交換式カメラは、請求項１又は２に記載のレンズ交換式カメラにおいて、前記ゴミ除去手段の駆動指示を入力する入力手段を備え、前記制御手段は、前記入力手段から入力された駆動指示に応じて前記ゴミ除去手段を駆動することを特徴とする。
【００１３】
請求項３に記載のレンズ交換式カメラによれば、入力された駆動指示に応じてゴミ除去手段を駆動することにより、ユーザが希望する時に手動でゴミ除去をすることができる。
【００１４】
請求項４に記載のレンズ交換式カメラは、請求項１から３のいずれか１に記載のレンズ交換式カメラにおいて、前記判別手段により前記カバーが開いていると判別された場合には、前記マウントから取り外せないように前記レンズユニットをロックするロック手段を備えたことを特徴とする。
【００１５】
請求項４に記載のレンズ交換式カメラによれば、カバーが開いている場合には、レンズユニットをマウントから取り外せないように、レンズユニットをロックすることにより、カメラ本体の内部にゴミなどが混入することを防止することができる。。
【００１６】
請求項５に記載のレンズ交換式カメラは、請求項１から４のいずれかに記載のレンズ交換式カメラにおいて、前記レンズユニットは、前記レンズを移動させるレンズ移動手段を備え、前記カメラ本体は、前記レンズ移動手段を駆動するためのモータと、前記レンズ移動手段と、前記カバー開閉手段及び前記ゴミ除去手段の少なくとも１つとの間で前記モータの駆動力の伝達先を切り替える切替手段と、を備えたことを特徴とする。
【００１７】
請求項５に記載のレンズ交換式カメラによれば、フォーカスレンズ移動手段を駆動するためのモータを用いて、フォーカスレンズ移動手段、カバー開閉手段、ゴミ除去手段などを駆動するため、部品点数を減らし、省スペース化することができる。。
【００１８】
請求項６に記載のレンズ交換式カメラは、請求項１から５のいずれかに記載のレンズ交換式カメラにおいて、前記ゴミ除去手段は、空気を前記レンズユニットと前記カバーとで囲まれた空間に噴射する噴射手段と、前記噴射手段により空気が噴射されると、前記レンズユニットと前記カバーとの間に形成された空間内の空気を前記カメラ本体の外部へ排気する排気手段と、を有することを特徴とする。
【００１９】
請求項６に記載のレンズ交換式カメラによれば、レンズユニットとカバーとで囲まれた空間に空気を噴射し、その空気をカメラ本体の外部へ排気することにより、レンズユニットとカバーとで囲まれた空間内のゴミをカメラ本体の内部から外部へ排出することができる。
【００２０】
請求項７に記載のレンズ交換式カメラは、請求項６に記載のレンズ交換式カメラにおいて、前記ゴミ除去手段は、ゴミをろ過するろ過手段と、前記ろ過手段を介して前記カメラ本体の外部の空気を吸気して清浄空気を生成し、該清浄空気を前記噴射手段へ供給する供給手段と、を有することを特徴とする。
【００２１】
請求項７に記載のレンズ交換式カメラによれば、ろ過した空気を吸気して圧縮空気を生成し、レンズユニットとカバーとで囲まれた空間に圧縮空気を噴射する。これにより、カメラの外部から清浄空気を取得し、ゴミ除去に用いることができる。
【００２２】
請求項８に記載のレンズ交換式カメラは、請求項６又は７に記載のレンズ交換式カメラにおいて、前記圧縮空気生成手段の稼働時間を積算する積算手段と、前記積算手段により積算された稼働時間に基づいて前記ろ過手段の交換が必要か否かを判断する判断手段と、前記判断手段による判断結果を出力する出力手段と、を備えたことを特徴とする。
【００２３】
請求項８に記載のレンズ交換式カメラによれば、圧縮空気生成手段の稼働時間の積算値に基づいて判断したろ過手段の交換が必要か否かの判断結果を出力することにより、ろ過手段が寿命に達したことをユーザに伝えることができる。
【発明の効果】
【００２４】
本発明によれば、レンズ交換をすることによりカメラボディ内にゴミ等が侵入することを防止することができる。
【発明を実施するための最良の形態】
【００２５】
以下、添付図面に従って本発明に係るレンズ交換式カメラを実施するための最良の形態について詳細に説明する。
【００２６】
図１は、レンズ交換式デジタルカメラ１のレンズユニット２０を外した状態の斜視図であり、図２は、レンズ交換式デジタルカメラ１の内部を模式的に示す図である。レンズ交換式デジタルカメラ１は、図１に示すように、カメラ本体１０と、レンズユニット２０とで構成される。レンズユニット２０は、カメラ本体１０の正面に設けられたマウント１２を介してカメラ本体１０に着脱自在に設けられている。
【００２７】
カメラ本体１０は、主として、外装であるカメラ筐体１１と、マウント１２と、レリーズボタン１３と、モードダイヤル１４等で構成される。
【００２８】
カメラ筐体１１の正面には、図１に示すように、主として、マウント１２等が設けられており、上面には、レリーズボタン１３、モードダイヤル１４等が設けられている。また、カメラ筐体１１の背面には、図２に示すように、主として、光学ファインダ１５、モニタ１６、電源ボタン、ズームボタン、十字ボタン、ＭＥＮＵ／ＯＫボタン等の各種操作ボタン（図示せず）が設けられている。また、カメラ筐体１１の底面（図示せず）には、バッテリカバーが設けられており、このバッテリカバーを開くと、バッテリを装着するためのバッテリ収納室と、メモリカードを装着するためのメモリカードスロットが設けられている。
【００２９】
マウント１２は、レンズユニット２０をカメラ本体１０にバヨネット機構等によって着脱自在に装着する。マウント１２はレンズロック機構１５２（図５参照、図１、２では図示せず）を備え、レンズユニット２０がマウント１２から外せないようにロックすること及びロックの解除が可能である。また、マウント１２には図示しない電気接点が設けられており、カメラ本体１０とレンズユニット２０との接続時には、電気接点間の接触で両者の電気的な接続が確立するようになっている。なお、本実施の形態ではバヨネット方式のマウントを用いるが、バヨネット方式に限らず、スクリュー方式やマグネット方式などを用いることもできる。
【００３０】
レリーズボタン１３は、撮影指示を入力するボタンとして機能し、いわゆる「半押し」と「全押し」の２段式で構成されている。レンズ交換式デジタルカメラ１は、このレリーズボタン１３の半押しでＡＥ（Automatic Exposure：自動露出）、ＡＦ（Auto Focus：自動焦点合わせ）が機能し、全押しで撮影が実行される。
【００３１】
モードダイヤル１４は、回転式のダイヤルで構成されており、レンズ交換式デジタルカメラ１のモードを切り換える手段として機能する。レンズ交換式デジタルカメラ１は、このモードダイヤル１４を回転操作することにより、「撮影モード」、「再生モード」、及び本発明の特徴である「清掃モード」に切り換えられる。
【００３２】
光学ファインダ１５は、レンズユニット２０からの被写体像を、そのまま見ることができる。
【００３３】
モニタ１６には、被写体像及び記録済み画像の再生画像を表示させることができる。また、現在設定されているモードの情報、画像の圧縮率の情報、日時情報、コマ番号なども表示される。更に、ユーザが各種の設定操作等を行う際のユーザインターフェース用表示画面としても利用され、必要に応じて設定項目などのメニュー情報も表示される。
【００３４】
カメラ本体１０の内部には、図２に示すように、レンズユニット２０を透過した被写体光束を折り曲げて光学ファインダ１５へと導くためのクイックリターンミラー３１、ピント板３２、コンデンサレンズ３３、ペンタプリズム３４、接眼レンズ３５、シャッター３６、撮像素子ユニット３７等が配置されている。
【００３５】
クイックリターンミラー３１は、ミラーボックス（図示せず）内部に設けられ、レンズユニット２０からの被写体光を光学ファインダ１５への光路系に導く位置（斜設位置）と、撮影光路外に退避してレンズユニット２０からの被写体光を撮像素子ユニット３７に導く位置（退避位置）との間を移動自在に設けられる（所謂、ミラーダウンとミラーアップ）。通常状態では、光軸上に配置されると共に、光軸に対して所定の角度、例えば角度４５度を有して配置されている。なお、図２は、クイックリターンミラー３１がミラーダウンした斜設位置にある状態を示す。また、図２中、一点鎖線は光軸を示している。
【００３６】
ピント板３２は、クイックリターンミラー３１によって折り曲げられた被写体光が結像されるもので、この被写体光をコンデンサレンズ３３へと導く。
【００３７】
コンデンサレンズ３３は、結像された光束は光学ファインダ１５の視認性を向上させるもので、この被写体光をペンタプリズム３４へと導く。
【００３８】
ペンタプリズム３４は、光束を正立正像となるように反射した後、接眼レンズ３５へと導く。
【００３９】
接眼レンズ３５は、撮影者が最適な像を観測できるように被写体光を拡大する。
【００４０】
シャッター３６は、縦方向に開閉可能なフォールプレーンシャッター型のシャッターであり、クイックリターンミラー３１の後方に設けられる。なお、図２はシャッター３６が開放した状態を示す。
【００４１】
撮像素子ユニット３７は、シャッター３６の後方に設けられ、レンズユニット２０からの被写体光が結像される撮像素子３８や、撮像素子の前面を保護するカバーガラス３９などで構成される。撮像素子３８は、多数のフォトダイオード（図示省略）が平面的に配列され、ハニカム配列、ベイヤー配列その他の所定のカラーフィルタ配列構造を備えている。カバーガラス３９は、撮像素子の前面に配置される各種光学フィルタ、例えば、モアレを軽減するためのローパスフィルターである場合も含む。
【００４２】
レンズユニット２０は、主として、レンズ鏡筒２１と、レンズマウント２２等で構成される。
【００４３】
レンズ鏡筒２１は、円筒状に形成され、その内部にはズームレンズ２３、フォーカスレンズ２４、撮影レンズ２５などの複数の撮影レンズ、絞り機構（図示せず）等が配設される。
【００４４】
レンズマウント２２は、レンズ鏡筒２１の基端部に円筒状に形成される。レンズマウント２２には図示しない電気接点が設けられており、カメラ本体１０とレンズユニット２０との接続時には、電気接点間の接触で両者の電気的な接続が確立するようになっている。
【００４５】
さて、レンズ交換式デジタルカメラ１は、カメラ本体１０の内部にゴミが侵入しないようにするゴミ除去手段を有している。ゴミ除去手段は、図２に示すように、主として、カバー４０と、空気フィルタ４１と、コンプレッサ４２と、ＡＦモータユニット４３と、クラッチ・ギアボックス４４、４５と、カバー開閉機構４６と、エアーダクト４７と、空気噴射ユニット４８と、排気ユニット４９とで構成される。
【００４６】
カバー４０は、マウント１２の開口部の大きさより大きい板状の部材であり、ミラーボックスの前面、かつマウント１２に隣接して設けられる。カバー４０は、マウント１２の内周側の開口部を覆う閉状態（図３参照）と、マウント１２の内周側の開口部が開放された開状態（図４参照）との間で左右方向に開閉自在に形成される。レンズユニット２０がマウント１２に取り付けられた場合にのみカバー４０を開状態にすることが可能である。
【００４７】
本実施の形態が適用されていない場合は、マウント１２にレンズユニット２０が装着されていないときには、マウント１２を介してミラーボックスが外部空間に連通するため、大気中を浮遊するゴミ等がマウント１２からミラーボックス内に侵入することがある。しかしながら、図３に示す閉状態では、カバー４０によりミラーボックスなどカメラ本体１０の内部空間が密閉される。したがって、外部からゴミ、埃等がカメラ本体１０の内部空間侵入することを防止することができる。
【００４８】
空気フィルタ４１は、空気中からゴミ、塵埃などを取り除いて清浄空気にするもので、ＨＥＰＡフィルタ、ＵＬＰＡフィルタなどの様々な形式のフィルタを用いることができる。
【００４９】
コンプレッサ４２は、カメラ本体１０の外部から空気フィルタ４１を通った清浄空気を取り込み、圧縮して圧縮空気を生成する超小型コンプレッサである。コンプレッサ４２により生成された圧縮空気は、エアーダクト４７を通って空気噴射ユニット４８に供給される。
【００５０】
ＡＦモータユニット４３は、レンズ鏡筒２１内に設けられたフォーカスレンズ２４を移動させるフォーカスレンズ駆動機構１２１（図５参照、図２では図示せず）に駆動力を供給するものであり、ＡＦモータや駆動機構などで構成される。ＡＦモータユニット４３からの出力は、通常は、カバー開閉機構４６を介してフォーカスレンズ駆動機構１２１に伝達される。
【００５１】
クラッチ・ギアボックス４４は、ＡＦモータユニット４３から出力された駆動力の供給先をフォーカスレンズ駆動機構１２１とコンプレッサ４２との間で切り替える。
【００５２】
クラッチ・ギアボックス４５は、ＡＦモータユニット４３から出力された駆動力の供給先をフォーカスレンズ駆動機構１２１と又はカバー開閉機構４６との間で切り替える。
【００５３】
カバー開閉機構４６は、図４に示すように、カバー４０の背面側に設けられた回転軸を含み、ＡＦモータユニット４３の駆動力により回転軸が所定の方向に回転することによりカバー４０を閉状態から開状態にし、所定の方向の反対方向に回転することによりカバー４０を閉状態から開状態にする。
【００５４】
エアーダクト４７は、コンプレッサ４２から出力された圧縮空気の通り道であり、コンプレッサ４２と空気噴射ユニット４８とを連結する。エアーダクト４７は、カメラ本体１０の中央部を迂回するように形成される。例えば、図２、図３に示すように、エアーダクト４７は、カメラ筐体１１の右側面近傍を通ってカメラ筐体１１の下端奥近傍から上端手前近傍に延び、カメラ筐体１１の上端近傍でカメラ筐体１１の右側面近傍から略中央に延びるように形成される。
【００５５】
空気噴射ユニット４８は、図２、図３に示すように、カバー４０とレンズマウント２２とで囲まれた空間（図２網かけ部）に、コンプレッサ４２から出力され、エアーダクト４７を通って供給された圧縮空気を噴射するもので、カバー４０の前面かつマウント１２の上端近傍に設けられる。
【００５６】
排気ユニット４９は、主として、排気弁と、ほこりセンサとで構成される。排気弁は、カバー４０とレンズマウント２２とで囲まれた空間の空気圧を検知し、カバー４０とレンズマウント２２とで囲まれた空間の空気圧がカメラ本体１０の外部の空気圧より高くなると排気弁が開くことでカバー４０とレンズマウント２２とで囲まれた空間の空気をカメラ本体１０の外部に排出する。ほこりセンサは、排気弁から排出される空気に含まれるほこり量を検出する。
【００５７】
図５は、本実施の形態のレンズ交換式デジタルカメラ１の電気的構成を示すブロック図である。同図に示すように、デジタルカメラ１は、ＣＰＵ１１０、ＡＥ／ＡＷＢ検出部１１２、ＡＦ検出部１１４、フラッシュＲＯＭ１１６、ＲＡＭ１１８、ＶＲＡＭ１２０、駆動部（フォーカスレンズ駆動機構１２１を含む）１２２、撮影光学系（ズームレンズ２３、フォーカスレンズ２４、撮影レンズ２５、絞り等）１２４、撮像素子３８、タイミングジェネレータ１３０、アナログ信号処理部１３２、Ａ／Ｄコンバータ１３４、画像入力コントローラ１３６、画像信号処理部１３８、圧縮伸張処理部１４０、表示制御部１４２、メディアコントローラ１４６、カメラ操作部（レリーズボタン１３、モードダイヤル１４、電源ボタン、ズームボタン、十字ボタン、ＭＥＮＵ／ＯＫボタン等）１４８、レンズ装着検出機構１５０、レンズロック機構１５２、フィルタ交換検出機構１５４、動作時間演算データベース１５６、モータ制御部１５８、カバー開閉状態判別機構１６０等で構成されている。
【００５８】
ＣＰＵ１１０は、デジタルカメラ１の全体の動作を統括制御する制御手段として機能するとともに、各種の演算処理を行う演算手段として機能し、カメラ操作部１４８からの入力に基づき所定の制御プログラムに従ってデジタルカメラ１の各部を制御する。
【００５９】
ＡＥ／ＡＷＢ検出回路１１２は、ＣＰＵ１１０からの指令に従い、入力された画像信号からＡＥ制御及びＡＷＢ制御に必要な物理量を算出する。たとえば、ＡＥ制御に必要な物理量として、１画面を複数のエリア（たとえば１６×１６）に分割し、分割したエリアごとにＲ、Ｇ、Ｂの画像信号の積算値を算出する。ＣＰＵ１１０は、このＡＥ／ＡＷＢ検出回路１１２から得た積算値に基づいて被写体の明るさ（被写体輝度）を検出し、撮影に適した露出値（撮影ＥＶ値）を算出する。そして、算出した撮影ＥＶ値と所定のプログラム線図から絞り値とシャッター速度を決定する。また、ＡＷＢ制御に必要な物理量として、１画面を複数のエリア（例えば、１６×１６）に分割し、分割したエリアごとにＲ、Ｇ、Ｂの画像信号の色別の平均積算値を算出する。ＣＰＵ１１０は、得られたＲの積算値、Ｂの積算値、Ｇの積算値から分割エリアごとにＲ／Ｇ及びＢ／Ｇの比を求め、求めたＲ／Ｇ、Ｂ／Ｇの値のＲ／Ｇ、Ｂ／Ｇの色空間における分布等に基づいて光源種判別を行う。そして、判別された光源種に適したホワイトバランス調整値に従って、たとえば各比の値がおよそ１（つまり、１画面においてＲＧＢの積算比率がＲ：Ｇ：Ｂ≒１：１：１）になるように、ホワイトバランス調整回路のＲ、Ｇ、Ｂ信号に対するゲイン値（ホワイトバランス補正値）を決定する。
【００６０】
ＡＦ検出回路１１４は、ＣＰＵ１１０からの指令に従い、入力された画像信号からＡＦ制御に必要な物理量を算出する。本実施の形態のデジタルカメラ１では、撮像素子３８から得られる画像のコントラストによりＡＦ制御が行われ（いわゆるコントラストＡＦ）、ＡＦ検出回路１１４は、入力された画像信号から画像の鮮鋭度を示す焦点評価値を算出する。ＣＰＵ１１０は、このＡＦ検出回路１１４で算出される焦点評価値が極大となる位置を検出し、フォーカスレンズ駆動機構１２１を介してその位置にフォーカスレンズ群を移動させる。すなわち、ＣＰＵ１１０はフォーカスレンズ駆動機構１２１を動作させてフォーカスレンズ群を至近から無限遠まで所定のステップで移動させ、ＡＦ検出回路１１４は各位置で焦点評価値を取得し、得られた焦点評価値が最大の位置を合焦位置とする。ＣＰＵ１１０は、フォーカスレンズ駆動機構１２１を介して合焦位置にフォーカスレンズ群を移動させる。
【００６１】
フラッシュＲＯＭ１１６には、このＣＰＵ１１０が実行する制御プログラムであるファームウェア、制御に必要な各種データ、カメラ設定値、撮影された画像データ等が記録されている。なお、後述するように、撮影された画像データは、通常メモリカードに記録されるが、ユーザが選択した場合、メモリカードが装填されていない場合、メモリカードの容量が不足した場合等にはフラッシュＲＯＭ１１６に記録される。
【００６２】
ＲＡＭ１１８は、ＣＰＵ１１０の作業用領域として利用されるとともに、画像データの一時記憶領域として利用され、ＶＲＡＭ１２０は、表示用の画像データ専用の一時記憶領域として利用される。
【００６３】
タイミングジェネレータ（ＴＧ）１３０は、ＣＰＵ１１０からの指令に応じて、撮像素子３８を駆動するためのタイミング信号を出力する。
【００６４】
アナログ信号処理部１３２は、撮像素子３８から出力された画像信号に対して相関二重サンプリング処理（撮像素子の出力信号に含まれるノイズ（特に熱雑音）等を軽減することを目的として、撮像素子の１画素毎の出力信号に含まれるフィードスルー成分レベルと画素信号成分レベルとの差をとることにより正確な画素データを得る処理）を行い、増幅して出力する。
【００６５】
Ａ／Ｄコンバータ１３４は、アナログ信号処理部１３２から出力されたＲ、Ｇ、Ｂのアナログの画像信号をデジタルの画像信号に変換する。
【００６６】
画像入力コントローラ１３６は、所定容量のラインバッファを内蔵しており、ＣＰＵ１１０からの指令に従い、Ａ／Ｄコンバータ１３４から出力された１画像分の画像信号を蓄積して、ＲＡＭ１１８に記録する。
【００６７】
画像信号処理部１３８は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含み、ＣＰＵ１１０からの指令に従い、入力された画像信号に所要の信号処理を施して、輝度データ（Ｙデータ）と色差データ（Ｃｒ，Ｃｂデータ）とからなる画像データ（ＹＵＶデータ）を生成する。
【００６８】
圧縮伸張処理部１４０は、ＣＰＵ１１０からの指令に従い、入力された画像データに所定形式の圧縮処理を施し、圧縮画像データを生成する。また、ＣＰＵ１１０からの指令に従い、入力された圧縮画像データに所定形式の伸張処理を施し、非圧縮の画像データを生成する。
【００６９】
表示制御部１４２は、ＣＰＵ１１０からの指令に従い、モニタ１６への表示を制御する。すなわち、ＣＰＵ１１０からの指令に従い、入力された画像信号をモニタ１６に表示するための映像信号（たとえば、ＮＴＳＣ信号やＰＡＬ信号、ＳＣＡＭ信号）に変換してモニタ１６に出力するとともに、所定の文字、図形情報をモニタ１６に出力する。
【００７０】
メディアコントローラ１４６は、ＣＰＵ１１０からの指令に従い、メモリカードスロットに装填されたメモリカード１４４に対してデータの読み／書きを制御する。
【００７１】
レンズ装着検出機構１５０は、マウント１２にレンズユニット２０が装着されているか否かを検出し、検出結果をＣＰＵ１１０に出力する。
【００７２】
レンズロック機構１５２は、ＣＰＵ１１０からの指令に基づいて、マウント１２からレンズユニット２０が取り外せないように、レンズユニット２０をロックするものであり、機械式やマグネット式の様々な方法を用いることができる。
【００７３】
フィルタ交換検出機構１５４は、例えば非接触センサを含み、空気フィルタ４１が交換されたか否かを検出する。
【００７４】
動作時間演算データベース１５６は、コンプレッサ４２の駆動時間をＣＰＵ１１０が積算した結果を記憶する。コンプレッサ４２の駆動時間は、例えば、ゴミ除去動作（後に詳述）が行われた回数と、１回のゴミ除去に要する駆動時間とを積算することにより求められる。
【００７５】
モータ制御部１５８は、ＣＰＵ１１０からの指令に基づいてＡＦモータユニット４３の駆動を制御する。
【００７６】
カバー開閉状態判別機構１６０は、センサ等を含み、カバー４０が開状態にあるか閉状態にあるかどうかを判別する。カバー開閉状態判別機構１６０は、判別結果をＣＰＵ１１０に出力する。
【００７７】
つぎに、本実施形態の作用について説明する。
【００７８】
レンズ交換式デジタルカメラ１は、必要に応じて、ユーザによってレンズユニット２０が交換される。その際、カバー４０が開状態である場合には、カメラ本体１０の開口部から外部の塵埃などがカメラ本体１０の内部に侵入する。レンズ交換式デジタルカメラ１は、このような異物が例えば撮像素子ユニット３７に付着することにより撮影画像に写り込んでしまう不具合を防止するため、撮影動作前にゴミ除去動作を行う。
【００７９】
図６は、レンズ装着時の処理の流れを示すフローチャートである。
【００８０】
ユーザがレンズユニット２０をマウント１２に取り付け（ステップＳ１０）、電源ボタンを操作することによりレンズ交換式デジタルカメラ１の電源を投入する（ステップＳ１１）。すると、ＣＰＵ１１０は、レンズ装着検出機構１５０及びカバー開閉状態判別機構１６０に指令を出し、マウント１２にレンズユニット２０が装着されていること及びカバー４０が閉状態であることを確認し、レンズ交換式デジタルカメラ１を「清掃モード」で動作させる。
【００８１】
ＣＰＵ１１０は、レンズロック機構１５２に指令を出し、レンズロック機構１５２は、マウント１２からレンズユニット２０が取り外せないように、レンズユニット２０をロックする（ステップＳ１２）。これにより、レンズユニット２０の取り外しが不可となる。したがって、カバー４０が空いている状態でレンズユニット２０を取り外すことによりゴミ等がレンズ本体１０内部に混入することを防止することができる。
【００８２】
ＣＰＵ１１０は、クラッチ・ギアボックス４４を介してＡＦモータユニット４３の駆動力の伝達先をコンプレッサ４２に切り替え（ステップＳ１３）、次のようにして掃除を行う（ステップＳ１４）。
【００８３】
ＣＰＵ１１０は、モータ制御部１５８に指令を出し、モータ制御部１５８は、ＡＦモータユニット４３を駆動して所定の時間コンプレッサ４２を動作させる。コンプレッサ４２は、空気フィルタ４１を通って供給された空気を用いて圧縮空気を生成し、生成した圧縮空気をエアーダクト４７を通って空気噴射ユニット４８に供給する。コンプレッサ４２には、空気フィルタ４１により外部の塵埃など異物が除去された空気が供給されるため、生成された圧縮空気に塵埃などは含まれない。
【００８４】
空気噴射ユニット４８は、供給されたクリーンな圧縮空気をカバー４０とレンズマウント２２とで囲まれた空間に噴射する。これにより、カバー４０とレンズマウント２２とで囲まれた空間の内部に付着したゴミ等を吹き飛ばすことができる。
【００８５】
そして、排気ユニット４９は、圧縮空気の噴射による圧力増加を検知して、排気弁を開く。これにより、カバー４０とレンズマウント２２とで囲まれた空間の空気をカメラ本体１０の外部に排出する。このとき、圧縮空気により吹き飛ばされたゴミ等が一緒に排出されるため、カバー４０とレンズマウント２２とで囲まれた空間のゴミ等を除去することができる。
【００８６】
掃除（ステップＳ１４）が終了したら、ＣＰＵ１１０は、動作時間演算データベース１５６に記憶されたコンプレッサ４２の駆動時間を読み出し、それに掃除１回分の駆動時間を追加した結果を動作時間演算データベース１５６に出力する。動作時間演算データベース１５６は、入力された結果を新たな積算時間として記憶する（ステップＳ１５）。これにより、動作時間演算データベース１５６に記憶された積算時間が更新される。
【００８７】
ＣＰＵ１１０は、更新された積算時間を動作時間演算データベース１５６から読み出し、その積算時間が所定の閾値以上であるか否かを判断する。例えば、積算時間が所定の閾値以上である場合にはフィルタ交換が必要であると判断し、積算時間が所定の閾値未満である場合にはフィルタ交換が必要でないと判断する（ステップＳ１６）。
【００８８】
フィルタ交換が必要であると判断された場合（ステップＳ１６でＹＥＳ）には、ＣＰＵ１１０は、表示制御部１４２を介してフィルタ交換を促すメッセージをモニタ１６に出力する（ステップＳ１７）。これにより、空気フィルタ４１が寿命に達したことをユーザに伝えることができる。
【００８９】
ユーザは、モニタ１６に表示されたメッセージをみてフィルタの交換を行い、ＯＫボタンが押下する。すると、カメラ操作部１４８からＣＰＵ１１０にＯＫボタンが押下されたことを示す信号が入力される（ステップＳ１８）。
【００９０】
ＣＰＵ１１０は、ＯＫボタンが押下された信号が入力されると、フィルタ交換検出機構１５４に指令を出し、フィルタ交換検出機構１５４は空気フィルタ４１が交換されたか否かを検出し、検出結果をＣＰＵ１１０に入力する（ステップＳ１９）。
【００９１】
空気フィルタ４１が交換されていない場合（ステップＳ１９でＮＯ）場合には、フィルタ交換を促すメッセージを表示するステップ（ステップＳ１７）に戻り、再度ステップＳ１７〜Ｓ１９を行う。
【００９２】
空気フィルタ４１のフィルタ交換が必要でないと判断された場合（ステップＳ１６でＮＯ）又は空気フィルタ４１が交換された場合（ステップＳ１９でＹＥＳ）には、ＣＰＵ１１０は、排気がクリーンであるか否かを検出する。すなわち、ＣＰＵ１１０は、排気ユニット４９のほこりセンサが検出した検出結果を取得し、検出結果が所定の閾値より小さいか否かを検出する（ステップＳ２０）。
【００９３】
排気がクリーンで無い場合（ステップＳ２０でＮＯ）には、掃除のステップ（ステップＳ１４）に戻り、再度ステップＳ１４〜Ｓ２０を行う。
【００９４】
排気がクリーンである場合（ステップＳ２０でＹＥＳ）には、ＣＰＵ１１０は、クラッチ・ギアボックス４５を介してＡＦモータユニット４３の駆動力の伝達先をカバー開閉機構４６に切り替える（ステップＳ２１）。ＣＰＵ１１０は、モータ制御部１５８を介してＡＦモータユニット４３を駆動し、ＡＦモータユニット４３の駆動力がカバー開閉機構４６に伝達され、カバー開閉機構４６は、カバー４０を図３に示す閉状態から図４に示す開状態にする（ステップＳ２２）。これにより、レンズユニット２０からの被写体光が撮像素子３８に結像可能となる。また、ステップＳ１４でカバー４０とレンズマウント２２とで囲まれた空間のゴミ等が除去されているため、カバー４０を開いても、カメラ本体１０の内部にゴミ等が侵入することはない。
【００９５】
そして、ＣＰＵ１１０は、撮影動作が可能となるように、クラッチ・ギアボックス４５を介してＡＦモータユニット４３の駆動力の伝達先をフォーカスレンズ駆動機構１２１に切り替える（ステップＳ２３）。
【００９６】
ＣＰＵ１１０は、表示制御部１４２を介してモニタ１６にメニュー画面を表示する（ステップＳ２４）。これにより、撮影動作が可能となったことをユーザに知らせることができる。
【００９７】
ユーザがカメラ操作部１４８を操作することにより、撮影モードに変更することを示す指示がＣＰＵ１１０に入力される（ステップＳ２５）と、ＣＰＵ１１０は、レンズ交換式デジタルカメラ１の動作モードを「清掃モード」から「撮影モード」に切り替え、以下に示すような撮影動作を開始する（ステップＳ２６）。
【００９８】
ＣＰＵ１１０は、撮像素子３８で連続的に画像を撮像し、その画像信号を連続的に処理し、スルー画像用の画像データを生成する。生成された画像データは、ＶＲＡＭ１２０を介して順次表示制御部１４８に加えられ、表示用の信号形式に変換されて、モニタ１４に出力される。これにより、撮像素子３８で捉えた画像がモニタ１４にスルー表示される。ユーザは、このモニタ１４に表示されたスルー画像を見て、ズーム操作により構図を決定する。
【００９９】
ユーザがズームボタンを操作することによりズーム操作が行われると、ＣＰＵ１１０は、操作に応じて駆動部１２２を制御し、ズームレンズを駆動することによりズーム操作を行う。
【０１００】
構図が決定したら、ユーザは、レリーズボタン１３を半押しする。レリーズボタン１３が半押しされると、ＣＰＵ１１０にＳ１ＯＮ信号が入力される。ＣＰＵ１１０は、このＳ１ＯＮ信号に応動して、撮影準備処理、すなわち、ＡＥ、ＡＦ、ＡＷＢの各処理を実行する。
【０１０１】
まず、撮像素子３８から出力された画像信号をアナログ信号処理部１３２、Ａ／Ｄコンバータ１３４、画像入力コントローラ１３６を介してＲＡＭ１１８に取り込み、ＡＥ／ＡＷＢ検出部１１２及びＡＦ検出部１１４に加える。
【０１０２】
ＡＥ／ＡＷＢ検出部１１２は、入力された画像信号からＡＥ制御及びＡＷＢ制御に必要な物理量を算出し、ＣＰＵ１１０に出力する。ＣＰＵ１１０は、このＡＥ／ＡＷＢ検出部１１２からの出力に基づき、絞り値とシャッタースピードを決定するとともに、ホワイトバランス補正値を決定する。
【０１０３】
ＡＦ検出部１１４は、入力された画像信号からＡＦ制御に必要な物理量を算出し、ＣＰＵ１１０に出力する。ＣＰＵ１１０は、このＡＦ検出部１１４からの出力に基づいて、モータ制御部１５８を介してＡＦモータユニット４３を駆動し、フォーカスレンズ駆動機構１２１を介してフォーカスレンズ等の移動を制御して、レンズ鏡筒１０のピントを主要被写体に合わせる。
【０１０４】
ユーザは、モニタ１６に表示されるスルー画像を見てレリーズボタン１３を全押しする。レリーズボタン１３が全押しされると、ＣＰＵ１１０にＳ２ＯＮ信号が入力される。ＣＰＵ１１０は、このＳ２ＯＮ信号に応動して、撮影、記録処理を実行する。
【０１０５】
まず、上記のＡＥ処理で求めた絞り値、シャッタースピードで撮像素子３８を露光し、記録用の画像を撮像する。
【０１０６】
撮像素子３８から出力された記録用の画像信号は、アナログ信号処理部１３２、Ａ／Ｄコンバータ１３４を介して画像入力コントローラ１３６に取り込まれ、ＲＡＭ１１８に格納される。ＲＡＭ１１８に格納された画像信号は、ＣＰＵ１１０の制御の下、画像信号処理部１３８に加えられる。画像信号処理部１３８は、入力された画像信号に所定の信号処理を施して、輝度データと色差データとからなる画像データ（ＹＵＶデータ）を生成する。
【０１０７】
画像信号処理部１３８で生成された画像データは、一旦ＲＡＭ１１８に格納されたのち、圧縮伸張処理部１４０に加えられる。圧縮伸張処理部１４０は、入力された画像データに対して所定の圧縮処理を施し、圧縮画像データを生成する。
【０１０８】
圧縮された画像データは、ＲＡＭ１１８に格納され、所定フォーマットの静止画像ファイル（たとえば、Ｅｘｉｆ）として、メディアコントローラ１４６を介してメモリカード１４４に記録される。なお、メモリカード１４４に画像ファイルが保存可能な空き領域が無い場合や、操作者が選択した場合等には、ＲＡＭ１１８に格納された画像データは、所定フォーマットの静止画像ファイル（たとえば、Ｅｘｉｆ）としてフラッシュＲＯＭ１１６に保存される。保存が終了したら、再度スルー画像の撮影を開始する。
【０１０９】
ユーザがカメラ操作部１４８を操作することにより、ＣＰＵ１１０に撮影動作の終了指示が入力されたかどうかを判断する（ステップＳ２７）。撮影動作の終了指示が入力されていない場合（ステップＳ２７でＮＯ）には、撮影動作（ステップＳ２６）を繰り返し行い、撮影動作の終了指示が入力された場合（ステップＳ２７でＹＥＳ）には、処理を終了する。
【０１１０】
これにより、掃除をしないでカバー４０を開けてしまうことにより、カメラ本体１０内部にゴミ等が混入するなどの不具合を防止することができる。
【０１１１】
なお、図６では、レンズユニット２０をカメラ本体１０に装着する段階から処理を開始した例を示したが、レンズユニット２０がカメラ本体１０に装着されている場合には、ステップＳ１１から処理を開始すればよい。
【０１１２】
図６では、電源投入後、撮影開始前に自動的に掃除（ステップＳ１４）を行うことについて説明したが、ユーザが任意のタイミングで掃除を行うことも可能である。図７は、図６に示す流れに沿ってレンズ交換式デジタルカメラ１が起動された後、撮影モードまたは再生モードで動作しているときに、手動で掃除を行う処理の流れを示すフローチャートである。なお、図６と同一の部分については、同一の符号を付し、詳細な説明を省略する。
【０１１３】
ＣＰＵ１１０は、表示制御部１４２を介してモニタ１６にメニュー画面を表示する（ステップＳ３０）。ユーザがカメラ操作部１４８を操作することにより、掃除を行うことを示す指示がカメラ操作部１４８からＣＰＵ１１０に入力されると、ＣＰＵ１１０は、レンズ装着検出機構１５０及びカバー開閉状態判別機構１６０に指令を出し、マウント１２にレンズユニット２０が装着されていること及びカバー４０が閉状態であることを確認し、レンズ交換式デジタルカメラ１の動作モードを「撮影モード」から「清掃モード」に切り替える（ステップＳ３１）。
【０１１４】
ＣＰＵ１１０は、クラッチ・ギアボックス４５を介してＡＦモータユニット４３の駆動力の伝達先をカバー開閉機構４６に切り替え（ステップＳ３２）、開状態にあるカバー４０を閉状態にする（ステップＳ３３）。なお、レンズユニット２０は、レンズロック機構１５２によりロックされたままである。
【０１１５】
ＣＰＵ１１０は、クラッチ・ギアボックス４４を介してＡＦモータユニット４３の駆動力の伝達先をコンプレッサ４２に切り替え（ステップＳ１３）、掃除を行う（ステップＳ１４）。
【０１１６】
ＣＰＵ１１０は、動作時間演算データベース１５６に記憶されたコンプレッサ４２の駆動時間を更新し（ステップＳ１５）、更新された積算時間を動作時間演算データベース１５６から読み出し、その積算時間に基づいてフィルタ交換が必要か否かを判断する（ステップＳ１６）。
【０１１７】
フィルタ交換が必要であると判断された場合（ステップＳ１６でＹＥＳ）には、ＣＰＵ１１０は、表示制御部１４２を介してフィルタ交換を促すメッセージをモニタ１６に出力する（ステップＳ１７）。
【０１１８】
ユーザは、モニタ１６に表示されたメッセージをみてフィルタの交換を行い、ＯＫボタンが押下する。すると、カメラ操作部１４８からＣＰＵ１１０にＯＫボタンが押下されたことを示す信号が入力される（ステップＳ１８）。
【０１１９】
ＣＰＵ１１０は、ＯＫボタンが押下された信号が入力されると、フィルタ交換検出機構１５４に指令を出し、フィルタ交換検出機構１５４は空気フィルタ４１が交換されたか否かを検出し、検出結果をＣＰＵ１１０に入力する（ステップＳ１９）。
【０１２０】
空気フィルタ４１が交換されていない場合（ステップＳ１９でＮＯ）場合には、フィルタ交換を促すメッセージを表示するステップ（ステップＳ１７）に戻り、再度ステップＳ１７〜Ｓ１９を行う。
【０１２１】
フィルタ交換が必要でないと判断された場合（ステップＳ１６でＮＯ）又は空気フィルタ４１が交換された場合（ステップＳ１９でＹＥＳ）には、ＣＰＵ１１０は、排気がクリーンであるか否かを検出する（ステップＳ２０）。
【０１２２】
排気がクリーンで無い場合（ステップＳ２０でＮＯ）には、掃除のステップ（ステップＳ１４）に戻り、再度ステップＳ１４〜Ｓ２０を行う。
【０１２３】
排気がクリーンである場合（ステップＳ２０でＹＥＳ）には、ＣＰＵ１１０は、クラッチ・ギアボックス４５を介してＡＦモータユニット４３の駆動力の伝達先をカバー開閉機構４６に切り替える（ステップＳ２１）。ＣＰＵ１１０は、モータ制御部１５８を介してＡＦモータユニット４３を駆動し、ＡＦモータユニット４３の駆動力がカバー開閉機構４６に伝達され、カバー開閉機構４６は、カバー４０を図３に示す閉状態から図４に示す開状態にする（ステップＳ２２）。
【０１２４】
そして、ＣＰＵ１１０は、撮影動作が可能となるように、クラッチ・ギアボックス４５を介してＡＦモータユニット４３の駆動力の伝達先をフォーカスレンズ駆動機構１２１に切り替える（ステップＳ２３）。
【０１２５】
ＣＰＵ１１０は、動作モードを、清掃モードから図７に示す処理を開始する前の動作モードに戻し（ステップＳ３４）、処理を終了する。
【０１２６】
これにより、撮影前などにゴミ等を除去したいというユーザのニーズに応えることができる。
【０１２７】
図８は、レンズ交換式デジタルカメラ１のレンズ交換時などにレンズユニット２０を取り外す処理の流れを示すフローチャートである。なお、図７と同一の部分については、同一の符号を付し、詳細な説明を省略する。
【０１２８】
ＣＰＵ１１０は、表示制御部１４２を介してモニタ１６にメニュー画面を表示する（ステップＳ４１）。ユーザがカメラ操作部１４８を操作することにより、レンズユニット２０を取り外すことを示す指示がＣＰＵ１１０に入力される（ステップＳ４２）と、ＣＰＵ１１０は、クラッチ・ギアボックス４５を介してＡＦモータユニット４３の駆動力の伝達先をカバー開閉機構４６に切り替え（ステップＳ３２）、開状態にあるカバー４０を閉状態にする（ステップＳ３３）。これにより、レンズユニット２２を取り外してもカメラ本体１０内部にゴミ等が混入しない。
【０１２９】
なお、レンズユニット２０は、ステップＳ１２でレンズロック機構１５２によりロックされたままであるため、ＣＰＵ１１０は、レンズロック機構１５２に指令を出し、レンズロック機構１５２はレンズユニット２０のロックを解除する（ステップＳ４３）。これにより、レンズユニット２０が取り外し可能となる。
【０１３０】
ＣＰＵ１１０は、表示制御部１４２を介して、レンズユニット２０が取り外し可能になったことを示すメッセージをモニタ１６に出力する（ステップＳ４４）。これにより、ユーザはレンズユニット２０をマウント１２から取り外すことができる。
【０１３１】
レンズユニット２０がマウント１２から取り外されると、レンズ装着検出機構１５０はこれを検出し、検出結果をＣＰＵ１１０に出力する（ステップＳ４５）。ＣＰＵ１１０は、レンズユニット２０がマウント１２から取り外されたことを示す信号がレンズ装着検出機構１５０から入力されると、レンズ交換式デジタルカメラ１の電源を切る（ステップＳ４６）。
【０１３２】
本実施の形態によれば、レンズ交換によってカメラ本体の内部にゴミ等が混入することを防ぐことができる。
【０１３３】
なお、本実施の形態では、排気ユニット４９内のほこりセンサの検出結果に基づいて排気がクリーンか否かを判断した（ステップＳ２０）が、排気がクリーンか否かを判断する方法はこれに限らない。例えば、一定時間以上コンプレッサ４２の動作を行った場合には排気がクリーンであると判断してもよい。
【０１３４】
また、本実施の形態では、空気圧に応じて自動的に開閉する排気弁を用いて、カバー４０とレンズマウント２２とで囲まれた空間内の空気を排気したが、排気の方法はこれに限らない。例えば、排気ユニット４９にモータ等により開閉可能な開口部を設け、ＣＰＵ１１０の指令により空気噴射ユニット４８の駆動と同時に開口部をあけるようにしてもよい。また、開口部を開閉するモータとしては、専用のモータを設けてもよいし、ＡＦモータを兼用してもよい。ＡＦモータを兼用する場合には、クラッチ、・ギアボックス４５でＡＦＭモータユニット４５の駆動力の伝達先を切り替えればよい。
【０１３５】
また、本実施の形態では、コンプレッサ４２、カバー開閉機構４６、及びフォーカスレンズ駆動機構１２１の駆動源としてＡＦモータユニット４３を兼用したが、及びフォーカスレンズ駆動機構１２１とコンプレッサ４２、フォーカスレンズ駆動機構１２１とカバー開閉機構４６との間で駆動源を兼用するようにしてもよいし、コンプレッサ４２、カバー開閉機構４６、及びフォーカスレンズ駆動機構１２１のそれぞれに独自の駆動源を持つようにしてもよい。
【０１３６】
また、本実施の形態では、クラッチ・ギアボックス４４を用いてフォーカスレンズ駆動機構１２１とコンプレッサ４２との間でＡＦモータユニット４３から出力された駆動力の供給先を切り替えたが、ＡＦモータユニット４３に限らない。例えばズームモータユニットがカメラ本体１０に内蔵されている場合には、ズームモータユニットの駆動力の供給先をズームレンズ駆動機構とコンプレッサ４２と野間で切り替えるようにしてもよい。
【０１３７】
また、本実施の形態では、掃除を行うステップ（ステップＳ１４）において、所定の時間コンプレッサ４２を動作させたが、排気ユニット４９のほこりセンサが検出した検出結果に基づいて排気がクリーンであるか否かを検出し（ステップＳ２０）、不十分な場合は再度掃除（ステップＳ１４）を行ったが、掃除のステップ（ステップＳ１４）において、圧縮空気を噴射し、排気弁を開いて排気するとともに、ほこりセンサで検出を行い、検出結果よりクレーンであると判断されたときにコンプレッサ４２を停止するようにしてもよい。
【０１３８】
また、本実施の形態では、コンプレッサ４２でカメラ本体１０の外部から空気フィルタ４１を通った清浄空気を圧縮し、空気噴射ユニット４８に供給したが、清浄空気を空気噴射ユニット４８に供給する方法はこれに限らない。例えば、コンプレッサ４２でカメラ本体１０内部の空気を圧縮して空気噴射ユニット４８に供給してよい。また、コンプレッサ４２の代わりに取り外し可能な小型ボンベを設け、小型ボンベの空気を空気噴射ユニット４８に供給してもよい。
【０１３９】
なお、本発明の適用は、レンズ交換式デジタルカメラに限定されるものではなく、レンズの交換が可能な銀塩カメラ、ビデオカメラなどの各種レンズ交換式カメラに適用することができる。また、レンズ交換式カメラに適用するプログラムとして提供することもできる。
【図面の簡単な説明】
【０１４０】
【図１】本発明の一の実施形態に係るレンズ交換式デジタルカメラ１を示し、撮影レンズユニットを外した状態の斜視図である。
【図２】上記レンズ交換式デジタルカメラ１の内部を模式的に示す図である。
【図３】上記レンズ交換式デジタルカメラ１の内部を模式的に示す図である。
【図４】上記レンズ交換式デジタルカメラ１の内部を模式的に示す図である。
【図５】上記レンズ交換式デジタルカメラ１の内部構成を示すブロック図である。
【図６】上記レンズ交換式デジタルカメラ１のレンズ装着時の処理の流れを示すフローチャートである。
【図７】上記レンズ交換式デジタルカメラ１の手動で掃除を行なう処理の流れを示すフローチャートである。
【図８】上記レンズ交換式デジタルカメラ１のレンズ取り外し時の処理の流れを示すフローチャートである。
【符号の説明】
【０１４１】
１：レンズ交換式デジタルカメラ、１０：カメラ本体、１１：カメラ筐体、１２：マウント、１３：レリーズボタン、１４：モードダイヤル、２０：レンズユニット、２１：レンズ鏡筒、２２：レンズマウント、２３：ズームレンズ、２４：フォーカスレンズ、２５：撮影レンズ、３１：クイックリターンミラー、３４：ペンタプリズム、３５：接眼レンズ、３６：シャッター、３７；撮像素子ユニット、３８：撮像素子、４０：カバー、４１：空気フィルタ、４２：コンプレッサ、４３：ＡＦモータユニット、４４、４５：クラッチ・ギアボックス、４６：カバー開閉機構、４７：エアーダクト、４８：空気噴射ユニット、４９：排気ユニット、１１０：ＣＰＵ、１２１：ＡＦ動作機構、１５０：レンズ装着検出機構、１５２：レンズロック機構、１５４：フィルタ交換検出機構、１５６：動作時間演算データベース、１５８：モータ制御部、１６０：カバー開閉状態判別機構
【図１】
2010175639.tif 000003
【図２】
2010175639.tif 000004
【図３】
2010175639.tif 000005
【図４】
2010175639.tif 000006
【図５】
2010175639.tif 000007
【図６】
2010175639.tif 000008
【図７】
2010175639.tif 000009
【図８】
2010175639.tif 000010